【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
画像処理装置と、該画像処理装置に接続される該画像処理装置が有しないソフトウェアを有する１以上の装置とで構成されるシステムであって、
前記１以上の装置が、
外部より前記画像処理装置と同様のインタフェースを介してデータを受信する受信手段と、
前記受信手段によって受信した前記データを保存する記憶手段と、
前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されているデータに関する出力の実行要求を前記画像処理装置へ送信することで、前記画像処理装置の機能による前記データの出力を実行させる実行手段と
を有することを特徴とするシステム。
【請求項２】
前記１以上の装置が、
前記データを変換する変換手段を有し、
前記実行手段は、前記変換手段によって変換された前記データに関する前記実行要求を送信することを特徴とする請求項１に記載のシステム。
【請求項３】
前記出力の実行要求は、印刷要求であることを特徴とする請求項１又は２に記載のシステム。
【請求項４】
前記出力の実行要求は、ＦＡＸ送信要求であることを特徴とする請求項１又は２に記載のシステム。
【請求項５】
前記受信手段によって受信するデータは、前記画像処理装置において実行されるスキャンされたデータであることを特徴とする請求項１乃至４のいずれか一項に記載のシステム。
【請求項６】
前記画像処理装置は、画像形成装置であり、
前記外部は、前記１以上の装置に含まれないクライアント装置であることを特徴とする請求項１乃至５のいずれか一項に記載のシステム。
【請求項７】
前記１以上の装置は、前記受信手段、前記記憶手段、前記実行手段を備える記憶装置を含むことを特徴とする請求項１乃至６のいずれか一項に記載のシステム。
【請求項８】
前記記憶装置は前記画像処理装置とＵＳＢ、ケーブル又は無線通信のいずれかによって接続されていることを特徴とする請求項７に記載のシステム。
【請求項９】
前記外部及び前記１以上の装置と、該１以上の装置及び前記画像処理装置はそれぞれネットワークを介して接続されていることを特徴とする請求項１乃至７いずれか一項に記載のシステム。
【請求項１０】
前記外部はクライアント装置であって、さらに前記受信手段によって受信するデータは印刷データであって、
前記記憶手段に保存された前記印刷データは前記画像処理装置へ送信されることを特徴とする請求項１乃至９いずれか一項に記載のシステム。
【請求項１１】
画像処理装置と、該画像処理装置に接続される該画像処理装置が有しないソフトウェアを有する１以上の装置とで構成されるシステムが実行する情報処理方法であって、
前記１以上の装置が、
外部より前記画像処理装置と同様のインタフェースを介してデータを受信する受信手順と、
前記受信手順において受信した前記データを記憶手段に保存する記憶手順と、
前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されているデータに関する出力の実行要求を前記画像処理装置へ送信することで、前記画像処理装置の機能による前記データの出力を実行させる実行手順とを有することを特徴とする情報処理方法。
【請求項１２】
画像処理装置に接続され、該画像処理装置が有しないソフトウェアを有する記憶装置であって、
外部より前記画像処理装置と同様のインタフェースを介してデータを受信する受信手段と、
前記受信手段によって受信した前記データを保存する記憶手段と、
前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されているデータに関する出力の実行要求を前記画像処理装置へ送信することで、前記画像処理装置の機能による前記データの出力を実行させる実行手段と
を有することを特徴とする記憶装置。
【請求項１３】
画像処理装置に接続され、該画像処理装置が有しないソフトウェアを有する記憶装置が実行する情報処理方法であって、
外部より前記画像処理装置と同様のインタフェースを介してデータを受信する受信手順と、
前記受信手順において受信した前記データを記憶手段に保存する記憶手順と、
前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されている前記データに関する出力の実行要求を前記画像処理装置へ送信することで、前記画像処理装置の機能による前記データの出力を実行させる実行手順と
を有することを特徴とする情報処理方法。
【請求項１４】
画像処理装置に接続され、該画像処理装置が有しないソフトウェアを有する記憶装置に、
外部より前記画像処理装置と同様のインタフェースを介してデータを受信する受信手順と、
前記受信手順において受信した前記データを記憶手段に保存する記憶手順と、
前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されている前記データに関する出力の実行要求を前記画像処理装置へ送信することで、前記画像処理装置の機能による前記データの出力を実行させる実行手順と
を実行させることを特徴とするプログラム。
【手続補正２】
【補正対象書類名】明細書
【補正対象項目名】発明の名称
【補正方法】変更
【補正の内容】
【発明の名称】システム、情報処理方法、記憶装置及びプログラム
【手続補正３】
【補正対象書類名】明細書
【補正対象項目名】０００１
【補正方法】変更
【補正の内容】
【０００１】
本発明は、システム、情報処理方法、記憶装置及びプログラムに関する。
【手続補正４】
【補正対象書類名】明細書
【補正対象項目名】０００４
【補正方法】変更
【補正の内容】
【０００４】
本発明は、上記の点に鑑みてなされたものであって、大規模記憶装置を備えていない画像処理装置であっても大規模記憶装置を用いたサービスの提供を可能とすることのできるシステム、情報処理方法、記憶装置及びプログラムの提供を目的とする。
【手続補正５】
【補正対象書類名】明細書
【補正対象項目名】０００５
【補正方法】変更
【補正の内容】
【０００５】
そこで上記課題を解決するため、本発明は、画像処理装置と、該画像処理装置に接続される該画像処理装置が有しないソフトウェアを有する１以上の装置とで構成されるシステムであって、前記１以上の装置が、外部より前記画像処理装置と同様のインタフェースを介してデータを受信する受信手段と、前記受信手段によって受信した前記データを保存する記憶手段と、前記記憶手段へアクセスするＡＰＩを利用して前記記憶手段に保存されているデータを操作するための前記ソフトウェアによる指示に基づいて、前記画像処理装置と同様のインタフェースを介して前記記憶手段に保存されているデータに関する出力の実行要求を前記画像処理装置へ送信することで、前記画像処理装置の機能による前記データの出力を実行させる実行手段とを有することを特徴とする。
【手続補正６】
【補正対象書類名】明細書
【補正対象項目名】０００６
【補正方法】変更
【補正の内容】
【０００６】
このようなシステムでは、大規模記憶装置を備えていない画像処理装置であっても大規模記憶装置を用いたサービスの提供を可能とすることができる。
【手続補正７】
【補正対象書類名】明細書
【補正対象項目名】０００７
【補正方法】変更
【補正の内容】
【０００７】
本発明によれば、大規模記憶装置を備えていない画像処理装置であっても大規模記憶装置を用いたサービスの提供を可能とすることのできるシステム、情報処理方法、記憶装置及びプログラムを提供することができる。